(57)【要約】【課題】表示パネルとカバーとの間に介在する空間部への塵埃類の侵入や結露による曇りの発生を簡単かつ確実に防止できる「ディスプレイ装置」を提供する。【解決手段】車載用ディスプレイ装置１は、ケース本体２の第１の開口２ａを蓋閉するカバー３とケース本体２の裏面側に取り付けられた表示ユニット４の液晶パネル５との間に空間部Ｓが確保されており、表示ユニット４の構成部材である筐体６の前面を除く部位に外部空間と連通する通気開口（突起８ｂの周囲の隙間や貫通孔８ｅ）が設けられていると共に、筐体６の前壁内面に液晶パネル５の前面外縁部をそれぞれ部分的に支持する複数の突出部７ｂが設けられている。その結果、液晶パネル５の周囲に各突出部７ｂによって長くて複雑な空気経路が確保され、この空気経路を介して空間部Ｓと外部空間とが連通した状態となる。【選択図】図４
2014092735.tif 000002
【特許請求の範囲】
【請求項１】
第１の開口が設けられたケース本体と、前記第１の開口を蓋閉するように前記ケース本体に取り付けられた透明なカバーと、前記ケース本体の裏面側に取り付けられた表示ユニットとを備え、前記表示ユニットが、前面の表示領域を前記カバーに空間部を介して対向させた矩形状の表示パネルと、この表示パネルを収納すると共に前記表示領域を露出させる第２の開口が設けられた筐体とを有しているディスプレイ装置において、
前記筐体の前面を除く部位に外部空間と連通する通気開口が設けられていると共に、前記筐体の前壁内面に前記表示パネルの前面外縁部をそれぞれ部分的に支持する複数の突出部が設けられており、かつ、前記筐体の前壁外面が前記第２の開口の全周に亘って前記ケース本体の裏面側に密着されていることを特徴とするディスプレイ装置。
【請求項２】
請求項１の記載において、前記筐体に前記表示パネルの前面外縁部を前記各突出部に圧接させる弾性部材が設けられていることを特徴とするディスプレイ装置。
【請求項３】
請求項１または２の記載において、前記筐体の側壁内面に前記表示パネルの側端面と当接する突起が設けられていると共に、前記筐体の底壁内面に前記表示パネルの下端面と当接する複数の突起が設けられていることを特徴とするディスプレイ装置。
【請求項４】
請求項３の記載において、前記筐体に前記表示パネルの側端面と下端面を対応する前記突起に圧接させる弾性部材が設けられていることを特徴とするディスプレイ装置。
【請求項５】
請求項１〜４のいずれか１項の記載において、前記筐体が、前記第２の開口を有する前壁の周囲から後方へ向かって周壁を突出させた前部枠体と、この前部枠体の後端開口部を塞ぐ後部枠体とからなり、これら前部枠体と後部枠体が前記表示パネルを挟んで接合・一体化されていることを特徴とするディスプレイ装置。
【請求項６】
請求項５の記載において、前記通気開口が前記前部枠体と前記後部枠体の接合箇所に設けられていることを特徴とするディスプレイ装置。
【請求項７】
請求項６の記載において、前記後部枠体が前記前部枠体の周壁と嵌合する係合壁を有しており、この係合壁と前記前部枠体の周壁との少なくとも一方に前記通気開口を画成する突起が設けられていることを特徴とするディスプレイ装置。
【請求項８】
請求項５〜７のいずれか１項の記載において、前記前部枠体と前記後部枠体がいずれも金属板を折曲加工した板金製ブラケットであることを特徴とするディスプレイ装置。
【請求項９】
請求項５〜８のいずれか１項の記載において、前記突出部が前記前部枠体の前記第２の開口を包囲する３箇所に設けられており、これら各突出部によって前記表示パネルの前面外縁部が３点支持されていることを特徴とするディスプレイ装置。
【請求項１０】
請求項９の記載において、前記表示パネルがＩＰＳ方式の液晶パネルであることを特徴とするディスプレイ装置。
【発明の詳細な説明】
【技術分野】
【０００１】
本発明は、ケース本体に取り付けられた表示パネルの表示画面が透明なカバーによって覆われているディスプレイ装置に係り、特に、表示パネルとカバーとの間に介在する空間部への塵埃類の侵入や結露による曇りの発生を防止するための防塵防曇対策に関するものである。
【背景技術】
【０００２】
車室内のクラスターパネル等に配設される車載用ディスプレイ装置では、開口を有するケース本体の裏面側に表示ユニットを取り付け、この表示ユニットの構成部材である表示パネル（液晶パネル）をケース本体の開口内に露出させているが、通常はケース本体の開口を透明なカバーで覆って表示パネルの表示画面が損傷しないようにしている。その際、カバーと表示画面との間に広い空間部が確保されていないと、搭乗者の手指などによってカバーが押し込まれて撓んだときに、カバーの変形が表示パネルに直接作用して表示画面を損傷させてしまうため、カバーと表示画面との間にある程度の広さを持つ空間部を確保するようにしている。
【０００３】
このような車載用ディスプレイ装置において、空間部が密閉されずに開放状態になっていると、外部から空間部内に塵埃などの異物が侵入しやすくなってしまい、その反対に空間部を完全に密閉した状態にしておくと、低温環境下で空間部に含まれる水蒸気がカバーや表示画面に結露しやすくなるため、表示画面が曇って見にくくなるという問題が発生する。そこで従来より、カバーの外周部に複数の通気孔を形成すると共に、通気性を有する枠状の防塵シートをカバーの外周部に貼着して通気孔を覆い、これらカバーと防塵シートの積層体を挟んでケース本体の裏面側に表示ユニットを取り付けることにより、空間部とオーバーラップするカバーの通気孔をケース本体の凹所を介して外部空間に連通させるようにした車載用ディスプレイ装置が提案されている（特許文献１参照）。かかる従来例では、カバーと表示ユニットとの間に介在する空間部が枠状の防塵シートによって包囲されているため、空間部内への塵埃類の侵入を防塵シートによって防止することができ、また、カバーの通気孔がケース本体に設けた凹所を介して外部空間と連通されているため、空間部内に結露が発生しにくくなって良好な曇り止め効果を期待することができる。
【先行技術文献】
【特許文献】
【０００４】
【特許文献１】特開２０１１−１３３７８３号公報
【発明の概要】
【発明が解決しようとする課題】
【０００５】
しかしながら、特許文献１に開示された従来の車載用ディスプレイ装置では、不織布等を枠状に打ち抜いて防塵シートを形成した後、この防塵シートをカバーの外周部に両面接着テープ等を用いて貼着する必要があるため、防塵シートや両面接着テープを含めて部品コストが高騰してしまい、防塵シートをカバーに貼着する組立作業性が悪いという問題もあった。また、表示ユニットをケース本体の裏面側に取り付けて防塵シートの裏面に圧接することにより、カバーの裏面と表示パネルの表示画面との間に空間部が確保されるようになっているため、空間部の奥行き寸法を十分に大きく設定することができず、カバーの撓み変形によって表示画面が損傷する虞があった。
【０００６】
本発明は、このような従来技術の実情に鑑みてなされたもので、その目的は、表示パネルとカバーとの間に介在する空間部への塵埃類の侵入や結露による曇りの発生を簡単な構成で確実に防止することができるディスプレイ装置を提供することにある。
【課題を解決するための手段】
【０００７】
上記の目的を達成するために、本発明は、第１の開口が設けられたケース本体と、前記第１の開口を蓋閉するように前記ケース本体に取り付けられた透明なカバーと、前記ケース本体の裏面側に取り付けられた表示ユニットとを備え、前記表示ユニットが、前面の表示領域を前記カバーに空間部を介して対向させた矩形状の表示パネルと、この表示パネルを収納すると共に前記表示領域を露出させる第２の開口が設けられた筐体とを有しているディスプレイ装置において、前記筐体の前面を除く部位に外部空間と連通する通気開口が設けられていると共に、前記筐体の前壁内面に前記表示パネルの前面外縁部をそれぞれ部分的に支持する複数の突出部が設けられており、かつ、前記筐体の前壁外面が前記第２の開口の全周に亘って前記ケース本体の裏面側に密着されている構成とした。
【０００８】
このように構成されたディスプレイ装置は、ケース本体の第１の開口を蓋閉するカバーとケース本体の裏面側に取り付けられた表示ユニットの表示パネルとの間に空間部が確保されており、表示ユニットの筐体の前面を除く部位に外部空間と連通する通気開口が設けられていると共に、筐体の前壁内面に表示パネルの前面外縁部をそれぞれ部分的に支持する複数の突出部が設けられているため、表示パネルの前方から周囲に亘ってできる長くて複雑な空気経路を介して空間部と外部空間とが連通した状態になる。したがって、防塵シート等の別部材をわざわざ追加しなくても、空間部内への塵埃類の侵入を確実に防止することができると共に、外部空間と空間部間で空気の流通が円滑に行われて良好な曇り止め効果を発揮することができる。
【０００９】
上記の構成において、筐体に表示パネルの前面外縁部を各突出部に圧接させる弾性部材が設けられていると、表示パネルが筐体の内部にがたつきなく収納されるため、騒音の低減化を図ることができて好ましい。
【００１０】
また、上記の構成において、筐体の側壁内面に表示パネルの側端面と当接する突起が設けられていると共に、筐体の底壁内面に表示パネルの下端面と当接する複数の突起が設けられていると、表示パネルの前面外縁部だけでなく周囲にも空気の流通経路が確保されるため、外部空間と空間部間で空気の流通がより一層円滑に行われることになって好ましい。
【００１１】
この場合において、筐体に表示パネルの側端面と下端面を対応する突起に圧接させる弾性部材が設けられていると、表示パネルのがたつきをより確実に防止することができる。
【００１２】
また、上記の構成において、筐体が、第２の開口を有する前壁の周囲から後方へ向かって周壁を突出させた前部枠体と、この前部枠体の後端開口部を塞ぐ後部枠体とからなり、これら前部枠体と後部枠体が表示パネルを挟んで接合・一体化された構成であることが好ましい。
【００１３】
その際、通気開口が前部枠体と後部枠体の接合箇所に設けられていると、前部枠体と後部枠体を一体化した時点で両者の接合箇所に通気開口を形成することができる。
【００１４】
また、この場合において、後部枠体が前部枠体の周壁と嵌合する係合壁を有しており、この係合壁と前部枠体の周壁との少なくとも一方に通気開口を画成する突起が設けられていると、後部枠体の係合壁を前部枠体の周壁に嵌合することで両者の接合箇所に突起の高さ相当分の隙間が形成されるため、この隙間を通気開口として利用することができる。特に前部枠体と後部枠体がいずれも金属板を折曲加工した板金製ブラケットであると、このような前部枠体と後部枠体を安価に製造することができて好ましい。
【００１５】
また、上記の構成において、突出部が表示パネルの前面外縁部を点支持するものであり、この突出部が前部枠体の第２の開口を包囲する３箇所に設けられており、これら各突出部によって表示パネルの前面外縁部が３点支持されていると、前部枠体や後部枠体に捩り応力が加わったとしても、各突出部を３点で結ぶ仮想平面の平坦度は維持されるため、表示パネルに歪みが生じることを確実に防止することができて好ましい。
【００１６】
その際、表示パネルとしてＴＮ（Twisted Nematic）方式やＶＡ（Virtical Alignment）方式の液晶パネルを用いても良いが、視野角が広い上に色度変移・色調変化の少ないＩＰＳ（In-Place-Switching）方式の液晶パネルを用いた場合に特に効果的である。すなわち、ＩＰＳ方式の液晶パネルは、水平に寝かせた液晶分子を回転させることでバックライト光量を制御するという駆動方式であるため、僅かな捻れ応力によってバックライトの輝度ムラ（黒ムラ）を生じてしまうが、ＩＰＳ液晶パネルの前面外縁部を３点支持することによって輝度ムラの発生を防止することができる。したがって、ＩＰＳ液晶パネルを収納する筐体が前部枠体と後部枠体の組合せ体からなる場合、これら前部枠体と後部枠体をわざわざ剛性の高い材料（例えばアルミダイカストや硬質樹脂など）で製造する必要がなくなり、安価で軽量な板金製の前部枠体と後部枠体を用いることが可能になる。
【発明の効果】
【００１７】
本発明のディスプレイ装置は、ケース本体の第１の開口を蓋閉するカバーとケース本体の裏面側に取り付けられた表示ユニットの表示パネルとの間に空間部が確保されており、表示ユニットの筐体の前面を除く部位に外部空間と連通する通気開口が設けられていると共に、筐体の前壁内面に表示パネルの前面外縁部をそれぞれ部分的に支持する複数の突出部が設けられているため、表示パネルの前面から周囲に亘ってできる長くて複雑な空気経路を介して空間部と外部空間とが連通した状態になる。したがって、防塵シート等の別部材をわざわざ追加しなくても、空間部内への塵埃類の侵入を確実に防止することができると共に、外部空間と空間部間で空気の流通が円滑に行われて良好な曇り止め効果を発揮することができる。
【図面の簡単な説明】
【００１８】
【図１】本発明の実施形態例に係る車載用ディスプレイ装置の正面図である。
【図２】該ディスプレイ装置を前方側から見た分解斜視図である。
【図３】該ディスプレイ装置を後方側から見た分解斜視図である。
【図４】図１のＡ−Ａ線に沿う断面図である。
【図５】図４のＢ部詳細図である。
【図６】該ディスプレイ装置に備えられる表示ユニットの正面図である。
【図７】該表示ユニットを前方側から見た分解斜視図である。
【図８】該表示ユニットを図７と別方側から見た分解斜視図である。
【図９】該表示ユニットを後方側から見た分解斜視図である。
【図１０】図６のＣ−Ｃ線に沿う断面図である。
【図１１】図６のＤ−Ｄ線に沿う断面図である。
【図１２】図６のＥ−Ｅ線に沿う断面図である。
【図１３】図６のＦ−Ｆ線に沿う断面図である。
【発明を実施するための形態】
【００１９】
発明の実施の形態について図面を参照して説明すると、本実施形態例に係る車載用ディスプレイ装置１は車室内のクラスターパネル等に設置して使用されるものである。図１〜図５に示すように、この車載用ディスプレイ装置１は、矩形状の第１の開口２ａが設けられた合成樹脂製のケース本体２と、ケース本体２に取り付けられた有色透明または無色透明な合成樹脂板からなるカバー３と、ケース本体２の裏面側に取り付けられた表示ユニット４とによって主に構成されており、表示ユニット４の後述する液晶パネル５が第１の開口２ａを透して外部から目視可能となっている。
【００２０】
ケース本体２の前面周縁部には前方に向かって突出する遮蔽壁２ｂが一体形成されており、ケース本体２の裏面側には第１の開口２ａを包囲するように枠状リブ２ｃが形成されている。遮蔽壁２ｂはバイザーとして機能するように上面側を前方へ大きく突出させてあり、この遮蔽壁２ｂの先端にカバー３が両面接着テープ（図示せず）等を用いて固着されている。これにより、第１の開口２ａの前方の空間がカバー３によって蓋閉されるようになっている。
【００２１】
表示ユニット４は直方体形状の液晶パネル５を筐体６の内部に収納した組立構造体であり、筐体６は前部枠体７と後部枠体８とによって構成されている。液晶パネル５はＩＰＳ（In-Place-Switching）方式と呼ばれる駆動方式を採用しており、かかるＩＰＳ方式は、水平に寝かせた液晶分子を回転させることでバックライト光量を制御する駆動方式であるため、液晶分子の垂直方向の傾きが発生せず、視野角が広い上に色度変移・色調変化が少ないという利点を有している。
【００２２】
前部枠体７と後部枠体８は金属平板をプレス加工して製造される板金製ブラケットであり、これら前部枠体７と後部枠体８は液晶パネル５を挟んで接合・一体化されるようになっている。図６〜図１３に示すように、前部枠体７の前壁には液晶パネル５の表示領域５ａを露出させるための矩形状の第２の開口７ａが設けられており、この前壁の周囲４辺には後方へ突出する周壁が折曲形成されている。前部枠体７の前壁内面には半球状の３つの突出部７ｂが形成されており、これら突出部７ｂの形成箇所は液晶パネル５と互いの重心を正面から見て略一致させた２等辺三角形の各頂点に設定されている。具体的には、前部枠体７の前壁内面における上側の中央部に１つ、左右両側の下部に１つずつ、計３つの突出部７ｂが第２の開口７ａを包囲する３箇所に形成されている。また、前部枠体７の周壁のうち、正面から見て左方の側壁内面には１つの突起７ｃが形成され、底壁内面の左右両側部には２つの突起７ｄが形成され、上壁内面の中央部には合成ゴムからなる弾性部材９が両面接着テープ等を用いて固着されている。さらに、前部枠体７の周壁四隅には外側へ突出する複数の取付片７ｆが形成されており、正面から見て右下側の取付片７ｆと周壁にかけて逃げ孔７ｅが形成されている。なお、各突出部７ｂと突起７ｃ，７ｄは前部枠体７のプレス加工時に同時に形成されるようになっており、３つの突出部７ｂの後方への突出量は全て同一に設定され、２つの突起７ｄの上方への突出量も同一に設定されている。
【００２３】
後部枠体８は前部枠体７の第２の開口７ａよりも幾分大きめな後壁を有しており、この後壁には複数の貫通孔８ｅが形成されている。後部枠体８の後壁の周縁部には前方へ突出する複数の係合壁８ａが折曲形成されると共に、上辺側と下辺側の各係合壁８ａの内面には突起８ｂが形成されている。また、後部枠体８の後壁四隅には外側へ突出する複数の取付片８ｃが形成されており、正面から見て後壁の右下隅部には前方へ突出する支持片８ｄが折曲形成されている。この支持片８ｄの内面には合成ゴムからなる弾性部材１１が両面接着テープ等を用いて固着されており、後部枠体８の後壁内面における３箇所にも合成ゴムからなる弾性部材１２が両面接着テープ等を用いて固着されている。前述した前部枠体７の各突出部７ｂと同様に、これら弾性部材１２の配置箇所は液晶パネル５と互いの重心を正面から見て略一致させた２等辺三角形の各頂点に設定されており、具体的には、後部枠体８の後壁内面における上側の中央部に１つ、左右両側の下部に１つずつ弾性部材１２が配置されている。なお、弾性部材１２の材料としては、シリコン系やウレタン系等の合成ゴムの中でも比較的硬度が高めのもの、例えばポリウレタン等の合成樹脂を発泡成形した合成スポンジが好適である。
【００２４】
表示ユニット４の組立作業について簡単に説明すると、まず、液晶パネル５を前部枠体７の後端開口部から内部に挿入し、この液晶パネル５の前面外縁部を各突出部７ｂに突き当てると共に、液晶パネル５の左側端面と下端面をそれぞれ突起７ｃ，７ｄに突き当てる。これにより、液晶パネル５の前面の表示領域５ａが前部枠体７の第２の開口７ａから露出して目視可能となる。その際、液晶パネル５の上端面は前部枠体７の上壁内面に固着された弾性部材９に弾接し、その反力によって液晶パネル５の下端面が前部枠体７の底壁内面の２つの突起７ｄに圧接されるため、前部枠体７に対する液晶パネル５の上下方向のがたつきは防止される（図１３参照）。
【００２５】
しかる後、後部枠体８の支持片８ｄを前部枠体７の逃げ孔７ｅに挿入しながら、後部枠体８の各係合壁８ａを前部枠体７の周壁外面に嵌め込むと、前部枠体７と後部枠体８の各取付片７ｆ，８ｃが重なり合い、前部枠体７と後部枠体８とが接合・一体化されて筐体６となる。これにより、液晶パネル５の裏面が後部枠体８の後壁内面に固着された３つの弾性部材１２に弾接し、その反力によって液晶パネル５の前面外縁部が前部枠体７の各突出部７ｂに圧接されるため、液晶パネル５は対をなす突出部７ｂと弾性部材１２によって筐体６内に３点支持された状態となり、筐体６内で液晶パネル５の前後方向（厚み方向）のがたつきが防止されると共に、前部枠体７の内面と液晶パネル５の周縁部との間に空気の流通経路が確保される（図１０と図１３参照）。また、液晶パネル５の右側端面が支持片８ｄに固着された弾性部材１１に弾接し、その反力によって液晶パネル５の左側端面が前部枠体７の突起７ｃに圧接されるため、前部枠体７に対する液晶パネル５の左右方向のがたつきも防止される（図１０参照）。
【００２６】
そして、このように後部枠体８の各係合壁８ａを前部枠体７の周壁外面に嵌合して両者を接合・一体化した時点で、後部枠体８の後壁の各貫通孔８ｅによって筐体６の内部と外部空間とが連通されるだけでなく、突起８ｂを有する係合壁８ａと前部枠体７の周壁外面との間に隙間が画成されるため、この隙間を介して筐体６の内部と外部空間とが連通された状態となる。すなわち、液晶パネル５を挟んで前部枠体７と後部枠体８とを接合・一体化した時点で、突起８ｂの周囲にできる隙間と予め後部枠体８に形成された貫通孔８ｅの両方が通気開口となり、これら通気開口に連通する筐体６内の前述した流通経路を介して、前部枠体７の前壁に設けられた第２の開口７ａと後部枠体８の外側の外部空間とが連通されることになる。
【００２７】
このようにして組み立てられた表示ユニット４は、前部枠体７と後部枠体８の各取付片７ｆ，８ｃをケース本体２の裏面側にねじ止めすることにより、前部枠体７の前壁外面をケース本体２の枠状リブ２ｃに密着させた状態でケース本体２に取り付けられる。その結果、図４に示すように、ケース本体２の遮蔽壁２ｂに固着されたカバー３と液晶パネル５の前面の表示領域５ａとの間に広い空間部Ｓが確保され、前部枠体７の外側の空間と空間部Ｓとの間は枠状リブ２ｃによって塞がれた状態となる。
【００２８】
ここで、液晶パネル５の表示領域５ａは空間部Ｓに対峙する第２の開口７ａ内に露出しており、前述したように、第２の開口７ａと表示ユニット４の外側の外部空間とは、前部枠体７の内面と液晶パネル５の周囲に画成された空気の流通経路を介して表示ユニット４の外側の外部空間に連通している。すなわち、空間部Ｓは枠状リブ２ｃによって塞がれているものの完全に密閉された状態となっておらず、前部枠体７内の空気経路と後部枠体８の通気開口を介して外部空間に連通しているため、図５の矢印（破線）で示すように、空気は筐体６の内部で液晶パネル５の周囲のみを通過可能となっている。したがって、防塵シート等の別部材をわざわざ追加しなくても、空間部Ｓ内への塵埃類の侵入を確実に防止することができると共に、外部空間と空間部Ｓ間で空気の流通が円滑に行われて良好な曇り止め効果を発揮することができる。
【００２９】
また、前部枠体７の側壁内面と底壁内面にそれぞれ突起７ｃ，７ｄが形成されており、これら突起７ｃ，７ｄに液晶パネル５の側端面と下端面を当接させることにより、液晶パネル５の厚み方向だけでなく面内方向の周囲にも空気の流通経路が確保されるため、外部空間と空間部Ｓ間での空気の流通はより一層円滑なものとなっている。しかも、液晶パネル５の前面外縁部が弾性部材１２によって突出部７ｂに圧接され、液晶パネル５の側端面が弾性部材１１によって突起７ｃに圧接されていると共に、液晶パネル５の下端面も弾性部材９によって突起７ｄに圧接されているため、液晶パネル５は筐体６内に前後方向（厚み方向）と上下左右方向（面内方向）にがたつきなく収納され、ラットルノイズの発生を抑えて騒音の低減化を図ることができる。
【００３０】
また、液晶パネル５の前面外縁部が突出部７ｂと弾性部材１２の対によって筐体６内に３点支持されており、これら３つの突出部７ｂが第２の開口７ａを包囲する前部枠体７の前壁内面に形成されているため、筐体６を構成する前部枠体７や後部枠体８に捩り応力が加わった場合、液晶パネル５は３つの突出部７ｂのうちの２つを結ぶ直線を軸として変位することになる。したがって、前部枠体７や後部枠体８に捩り応力が加わったとしても、各突出部７ｂを３点で結ぶ仮想平面の平坦度は維持され、液晶パネル５に歪みが生じることを確実に防止できる。しかも、３つの突出部７ｂの各頂点を結ぶ２等辺三角形の重心と、筐体６内に収納された矩形状の液晶パネル５の重心とが正面から見て略一致するように設定されているため、液晶パネル５に前後方向の振動が加わった場合でも、各突出部７ｂで液晶パネル５を支持する力を均等に分散させることができ、液晶パネル５に作用する曲げ応力や捩り応力をより確実に低減することができる。
【００３１】
特に、この車載用ディスプレイ装置１で使用されるＩＰＳ方式の液晶パネル５は、視野角が広い上に色度変移・色調変化が少ないという利点を有する反面、僅かなねじれ力によってバックライトの輝度ムラ（黒ムラ）を生じてしまうという難点があるが、かかるＩＰＳ方式の液晶パネル５を外部応力から確実に保護できるため、液晶パネル５を収納する筐体６として安価で軽量な板金製の前部枠体７と後部枠体８を用いることができる。これに対し、液晶パネル５を前部枠体７と後部枠体８で３点支持するという支持構造を採用しない場合は、前部枠体７と後部枠体８の変形がそのまま内部の液晶パネル５に伝達されてしまうため、アルミダイカストや硬質樹脂などの剛性の高い材料を用いて前部枠体７と後部枠体８を製造する必要があり、材料費や金型費などを含む部品コストが高騰してしまい、表示ユニット４の総重量も大きくなってしまうことになる。
【００３２】
以上説明したように、本実施形態例に係る車載用ディスプレイ装置１は、ケース本体２の第１の開口２ａを蓋閉するカバー３とケース本体２の裏面側に取り付けられた表示ユニット４の液晶パネル５との間に空間部Ｓが確保されており、表示ユニット４の筐体６の前面を除く部位に外部空間と連通する通気開口（突起８ｂの周囲の隙間や貫通孔８ｅ）が設けられていると共に、筐体６の前壁内面に液晶パネル５の前面外縁部をそれぞれ部分的に支持する複数の突出部７ｂが設けられているため、液晶パネル５の前面から周囲に亘って長くて複雑な空気経路が確保され、この空気経路を介して空間部Ｓと外部空間とが連通した状態になる。したがって、防塵シート等の別部材をわざわざ追加しなくても、空間部Ｓ内への塵埃類の侵入を確実に防止することができると共に、外部空間と空間部Ｓ間で空気の流通が円滑に行われて良好な曇り止め効果を発揮することができる。
【００３３】
また、筐体６に液晶パネル５の前面外縁部を各突出部７ｂに圧接させる弾性部材１２が設けられており、この弾性部材１２によって筐体６内における液晶パネル５の前後方向（厚み方向）のがたつきが抑えられているため、騒音の低減化を図ることができる。
【００３４】
また、筐体６の側壁内面に液晶パネル５の側端面と当接する突起７ｃが形成されていると共に、筐体６の底壁内面に液晶パネル５の下端面と当接する複数の突起７ｄが形成されているので、液晶パネル５の前面外縁部だけでなく上下左右方向の周囲にも空気の流通経路が確保され、外部空間と空間部Ｓ間での空気の流通をより円滑に行わせることができる。
【００３５】
しかも、筐体６に液晶パネル５の側端面と下端面を対応する突起７ｃ，７ｄに圧接させる弾性部材９，１１が設けられているので、液晶パネル５は筐体６内に前後方向だけでなく上下左右方向（面内方向）にもがたつきなく収納され、より効果的に騒音の低減化を図ることができる。
【００３６】
また、筐体６が板金製のブラケットからなる前部枠体７と後部枠体８との組立構造体からなり、これら前部枠体７と後部枠体８を液晶パネル５を挟んで接合・一体化することによって表示ユニット４が組み立てられるため、表示ユニット４の組立作業を簡単に行うことができると共に、前部枠体７と後部枠体８を安価に製造して表示ユニット４の軽量化を図ることができる。
【００３７】
また、前部枠体７の前壁周縁部から後方へ向かって周壁を突出させると共に、後部枠体８の後壁周縁部から前方へ向かって複数の係合壁８ａを突出させ、これら係合壁８ａを前部枠体７の前壁外面に嵌合したとき、両者の嵌合箇所に筐体６の内部と外部空間とを連通する通気開口が確保されるようになっている。具体的には、任意の係合壁８ａの内面に突起８ｂを形成し、この突起８ｂを前部枠体７の周壁外面に圧接させることにより、突起８ｂを有する係合壁８ａと前部枠体７の周壁外面との間に隙間を確保し、この隙間を通気開口として筐体６の内部と外部空間とが連通されるようになっている。このように前部枠体７と後部枠体８を接合・一体化して表示ユニット４が組み立てられた時点で、両者の嵌合箇所に通気開口を確保するようにすると、外部空間と空間部Ｓとの間に長くて複雑な空気の流通経路を画成することができる。なお、突起８ｂは後部枠体８の係合壁８ａと前部枠体７の周壁外面との少なくとも一方に設けられていれば良く、係合壁８ａの代わりに前部枠体７の周壁外面に突起を形成することも可能である。
【００３８】
また、前述した半球状の突出部７ｂを前部枠体７の第２の開口７ａを包囲する３箇所に形成し、これら各突出部７ｂによって液晶パネル５の前面外縁部を３点支持しているので、前部枠体７や後部枠体８に捩り応力が加わったとしても、各突出部７ｂを３点で結ぶ仮想平面の平坦度は維持され、液晶パネル５に歪みが生じることを確実に防止することができる。すなわち、前部枠体７と後部枠体８を安価で軽量な板金製のブラケットで構成しても、これら前部枠体７や後部枠体８の捻れ変形に対して液晶パネル５を確実に保護することができるため、表示品位は高いが捻れ応力に弱いという特性を持つＩＰＳ方式の液晶パネル５を使用することができ、かかるＩＰＳ方式の液晶パネル５にバックライトの輝度ムラ（黒ムラ）が発生することを確実に防止できる。
【００３９】
なお、上記実施形態例では、前部枠体７の第２の開口７ａを包囲する３箇所に突出部７ｂを形成し、これら各突出部７ｂの頂部を結んだ２等辺三角形の重心が液晶パネル５の重心と正面から見て略一致するようにしているが、各突出部７ｂの形成位置は必ずしもこれに限定されず、要は、突出部７ｂが第２の開口７ａを包囲する３箇所にそれぞれ形成されていれば良い。
【００４０】
また、上記実施形態例では、３つの突出部７ｂを全て同一形状の半球状に形成し、これら半球状の突出部７ｂの各球面に液晶パネル５の前面外縁部を点支持させているが、３つの突出部７ｂを全て断面Ｖ字状の円錐や角錐形状の突起あるいは突条として形成したり、半球状と断面Ｖ字状の突出部７ｂを組み合せることも可能である。同様に、突起７ｃ，７ｄの形状も半球状に限られるものではない。
【００４１】
また、上記実施形態例では、表示パネルとしてＩＰＳ方式の液晶パネル５を使用した場合について説明したが、ＴＮ（Twisted Nematic）方式やＶＡ（Virtical Alignment）方式の液晶パネルを用いことも可能である。
【００４２】
また、上記実施形態例では、本発明を車載用ディスプレイ装置に適用した場合について説明したが、本発明は可搬型電子機器等の他の様々なディスプレイ装置にも適用することができる。
【符号の説明】
【００４３】
１  車載用ディスプレイ装置
２  ケース本体
２ａ  第１の開口
２ｂ  遮蔽壁
２ｃ  枠状リブ
３  カバー
４  表示ユニット
５  液晶パネル（表示パネル）
６  筐体
７  前部枠体
７ａ  第２の開口
７ｂ  突出部
７ｃ，７ｄ  突起
７ｅ  逃げ孔
７ｆ  取付片
８  後部枠体
８ａ  係合壁
８ｂ  突起
８ｃ  取付片
８ｄ  支持片
８ｅ  貫通孔
９，１１，１２  弾性部材
Ｓ  空間部
【図１】
2014092735.tif 000003
【図２】
2014092735.tif 000004
【図３】
2014092735.tif 000005
【図４】
2014092735.tif 000006
【図５】
2014092735.tif 000007
【図６】
2014092735.tif 000008
【図７】
2014092735.tif 000009
【図８】
2014092735.tif 000010
【図９】
2014092735.tif 000011
【図１０】
2014092735.tif 000012
【図１１】
2014092735.tif 000013
【図１２】
2014092735.tif 000014
【図１３】
2014092735.tif 000015